(57)【要約】      （修正有）【課題】簡単な構造で、カーテン布地を確実に吊り下げることができる。【解決手段】カーテンレールまたはカーテンポールを挿入する輪部２を上端に形成して折り返し、折り返した二本の金属ワイヤを交差せしめてカーテン挟持部（直線部３と延長部４）を形成すると共にこの交差した一方の金属ワイヤの末端５を上方に折り曲げ、この末端５をやや挟持方向に傾斜してなり、この末端によってカーテン布地６面が係止させられ、前記カーテン挟持部の圧着作用と前記末端５の係止作用によってカーテン布地の脱落が防止されているカーテンフックの構成である。【選択図】図１
0003106436.tif 000002
【実用新案登録請求の範囲】
【請求項１】
カーテンレールまたはカーテンポールを挿入する輪部を上端に形成して折り返し、折り返して形成される二本の金属ワイヤを交差せしめてカーテン挟持部を形成すると共にこの交差した一方の金属ワイヤの末端を上方に折り曲げ、この末端をやや挟持方向に傾斜してなり、この末端によってカーテン布地面が係止させられ、前記カーテン挟持部の圧着作用と前記末端の係止作用によってカーテン布地の脱落が防止されていることを特徴とするカーテンフック。
【請求項２】
一本の弾力性の金属ワイヤを折り曲げて湾曲させて輪部を形成し、この輪部を形成して延長した金属ワイヤを他端側の金属ワイヤの直線部に交差させて平行に延長させ、カーテン挟持部を形成し、この延長部の先端を折り返して上方に折り曲げ、この先端部分をカーテンの挟持方向にやや傾斜させ、他端側の金属ワイヤに重ねて形成し、この先端によってカーテン布地面を係止することを特徴とするカーテンフック。
【考案の詳細な説明】
【技術分野】
【０００１】
本考案は、窓などに設置されたカーテンレールやカーテンポールに吊り下げ、カーテン布地の上端を挟持するカーテン用フックに関する。
【背景技術】
【０００２】
古くからカーテンレール（ポール）等にカーテン布地を吊り下げる吊金具として種々のものが開発されている。太目の針金を折り曲げてカーテン布地の上端縁に設けた折返部に挿入する挿入部を形成し、他端側を更に下方に折り曲げて引掛け部を形成したものが知られている（特許文献１、特許文献２、特許文献３）。また、プラスチックで型作りしたものなども知られている。
【０００３】
【特許文献１】実開昭５６−１２３１８７号公報図１
【特許文献２】実用新案登録第３０１２１４２号公報図１
【特許文献３】実用新案登録第３０３３７９６号公報図３  しかしこれらはカーテンの上端縁に折り返して二重にして引掛け部を形成する必要があった。特許文献１、特許文献２に記載される考案は、一般的の針金などの線材でＳ字状に形成されたフックである。
【考案の開示】
【考案が解決しようとする課題】
【０００４】
本考案は、従来の差込部有するカーテン用フックではカーテン布地の上端縁を二重に形成しなければならず、引掛け作業が面倒であった。本考案の課題は、簡単な構造で、カーテン布地を確実に吊り下げることができるカーテンフックを提供することである。
本考案の他の課題は、カーテンの上端には吊り下げるのに差込部などを必要とせず、金属ワイヤの弾力により確実にカーテン布地を固着できるカーテンフックを提供することである。
【課題を解決するための手段】
【０００５】
本考案の前記課題は、次のような構成によって達成することができる。
カーテンレールまたはカーテンポールを挿入する輪部を上端に形成して折り返し、折り返して形成される二本の金属ワイヤを交差せしめてカーテン挟持部を形成すると共にこの交差した一方の金属ワイヤの末端を上方に折り曲げ、、この末端をやや挟持方向に傾斜してなり、この末端によってカーテン布地面が係止させられ、前記カーテン挟持部の圧着作用と前記末端の係止作用によってカーテン布地の脱落が防止されているカーテンフックの構成である。
【０００６】
本考案の前記課題は、一本の弾力性の金属ワイヤを折り曲げて湾曲させて輪部を形成し、この輪部を形成して延長した金属ワイヤを他端側の金属ワイヤの直線部に交差させて平行に延長させ、カーテン挟持部を形成し、この延長部の先端を折り返して上方に折り曲げ、この先端部分をカーテンの挟持方向にやや傾斜させ、他端側の金属ワイヤに重ねて形成し、この先端によってカーテン布地面を係止するするカーテンフックの構成によって達成できる。
【０００７】
本考案のカーテン用フックは、一本の金属ワイヤを折り曲げてカーテンポールなどを挿入する輪部を形成し、この輪部を形成した延長分にカーテン布地を挟持する圧着部を有するから従来のようにカーテンの上端縁を二重に形成してフック差込部を形成する必要がない。
本考案のカーテンフックは、一本の金属ワイヤによって輪部を形成して折り返し、二本の金属ワイヤの弾力によりカーテン布地を狭着すると共に末端が狭着方向に傾斜しているからカーテン布地に対して引っかかりを生じるのでカーテン布地の落下（滑り落ち、またはずり落ち）を生じない。
【考案を実施するための最良の形態】
【０００８】
本考案のカーテンフックについて図面に示す実施の形態に基づいて説明する。
図１は本考案のカーテンフックの左側面図である。図２は図１の正面図である。図３は図２の右側面図、図４は背面図、図５は要部拡大説明図である。図６は本考案カーテンフックを使用してカーテンを吊り下げた状態を示す使用態様図である。
【０００９】
本考案のカーテンフック本体１は、一本の弾力性のある金属ワイヤを折り返し部分に輪部２を形成して、他方の直線部３に交差させて、その延長部４をやや捩じって他方の直線部３に平行に形成し、その先端５を折り返して他方の金属ワイヤ（直線部３）側にやや傾斜させてある。この末端は丸く球状に形成し、作業中の傷害事故を防止するようにしてある。この輪部２内にカーテンレール（ポール）７などを挿入するようにしてある。
この輪部２を形成してあるから弾力により直線部３と延長部４とによってカーテン布地６の上端縁を狭持するようになっている。
【００１０】
このように金属ワイヤを湾曲して延長部４を捩じって他方の金属ワイヤに圧接するように弾力が付与されており、この弾力により直線部３と延長部４との間にカーテン挟持部が形成され、カーテン布地６が狭着されるのである。このとき図５に示すように延長部４の先端５がやや狭着方向に傾斜してあるから確実にカーテン布地６を固着することができる。この先端５がカーテン布地６に引掛かるのでカーテン布地６が滑り落ちる懸念はない。
金属ワイヤの輪部２を押さえることにより二本の接触部分（直線部３と延長部４）は離れて、隙間を生じ、カーテン布地が簡易に挿入でき、カーテン布地が挟持される。
【００１１】
カーテン布地６の上端に適当の間隔でカーテンフック本体１を配置してカーテン布地を狭持する。このカーテンフック本体１の輪部２に図６に示すようにカーテンポール７を挿入してカーテンを吊り下げる。この輪部２の大きさは限定されず、金属ワイヤの弾力を生じる大きさがよい。金属ワイヤはカーテン布地６を圧着できる弾力が付与されている。
【図面の簡単な説明】
【００１２】
【図１】本考案のカーテン用フックの左側面図である。
【図２】図１の正面図である。
【図３】図２の右側面図である。
【図４】図２の背面図である。
【図５】本考案カーテンフックの要部拡大説明図である。
【図６】本考案カーテンフックを使用してカーテンを吊り下げた状態を示す
【符号の説明】
【００１３】
１      カーテンフック本体
２      輪部  
３      直線部
４      延長部
５      先端部
６      カーテン布地  
【図１】
0003106436.tif 000003
【図２】
0003106436.tif 000004
【図３】
0003106436.tif 000005
【図４】
0003106436.tif 000006
【図５】
0003106436.tif 000007
【図６】
0003106436.tif 000008